【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】  廃水からBOD及びNH3を除去するためのシステムであって、
a)第一タンク用インレットI1及び第一タンク用アウトレットO1と、第一タンク用フィルターF1を有する第一廃水処理タンクT1;
b)タンクT1とTn-1との間を廃水が流れるようにタンクT1と動作可能に連結した別の廃水処理タンクTn-1;
c)タンクTn-1とTnとの間を廃水が流れるようにタンクTn-1と動作可能に連結した、Nthタンク用インレットIn及びNthタンク用アウトレットOnと、Nthタンク用フィルターFnを有するNth廃水処理タンクTn;
d)タンクT1に連結したNH3検出器AD1;
e)タンクTnに連結したNH3検出器ADn;
f)タンクT1に連結したTSS検出器TD1;
g)タンクTnに連結したTSS検出器TDn;
h)少なくとも１つの前記タンクに連結した空気供給装置;及び
i)空気供給インレットI1及びIn、アウトレットO1及びOn、NH3検出器AD1及びADn、並びにTSS検出器TD1及びTDnに連結した制御装置であって、作動サイクルC1とC2の間でシフトし、ここで、サイクルC1において、AD1≧X又はTD1≦Yである間、I1及びOnはオンであり、Inはオフであり、ここで、X及びYはそれぞれ、NH3及びTSSの選択された濃度であり、そしてサイクルC2において、ADn≧X又はTDn≦Yである間、In及びO1はオンであり、I1はオフである、制御装置、
を含んで成るシステム。
【請求項２】  フィルターF1がサイクルC1の洗浄モードにある、請求項１に記載のシステム。
【請求項３】  フィルターFnがサイクルC2の洗浄モードにある、請求項１に記載のシステム。
【請求項４】  フィルターF1及びFnが膜フィルターである、請求項１に記載のシステム。
【請求項５】  フィルターF1及びF3が中空糸膜フィルターである、請求項４に記載のシステム。
【請求項６】  前記制御装置に連結し、且つ１又は複数の前記タンクに空気を供給するよう適合された空気供給装置を更に含んで成る、請求項１に記載のシステム。
【請求項７】  廃水からNH3を除去するためのシステムであって、
a)第一タンク用インレットI1及び第一タンク用アウトレットO1と、第一タンク用フィルターF1を有する第一廃水処理タンクT1;
b)タンクT1とTn-1との間を廃水が流れるようにタンクT1と動作可能に連結した別の廃水処理タンクTn-1;
c)タンクTn-1とTnとの間を廃水が流れるようにタンクTn-1と動作可能に連結した、Nthタンク用インレットIn及びNthタンク用アウトレットOnと、Nthタンク用フィルターFnを有するNth廃水処理タンクTn;
d)タンクT1に連結したNH3検出器AD1;
e)タンクTnに連結したNH3検出器ADn;
f)少なくとも１つの前記タンクに連結した空気供給装置;及び
g)空気供給インレットI1及びIn、アウトレットO1及びOn、フィルターF1及びFn、並びにNH3検出器AD1及びADnに連結した制御装置であって、作動サイクルC1とC2の間でシフトし、ここで、サイクルC1において、AD1≧Xである間、I1及びOnはオンであり、Inはオフであり、ここで、XはNH3の選択濃度であり、そしてC2において、ADn≧Xである間、In及びO1はオンであり、I1はオフである、制御装置、
を含んで成るシステム。
【請求項８】  フィルターF1がサイクルC1の洗浄モードにある、請求項７に記載のシステム。
【請求項９】  フィルターFnがサイクルC2の洗浄モードにある、請求項７に記載のシステム。
【請求項１０】  フィルターF1及びFnが膜フィルターである、請求項７に記載のシステム。
【請求項１１】  フィルターF1及びF3が中空糸膜フィルターである、請求項７に記載のシステム。
【請求項１２】  前記制御装置に連結し、且つ１又は複数の前記タンクに空気を供給するよう適合された空気供給装置を更に含んで成る、請求項７に記載のシステム。
【請求項１３】  廃水からBODを除去するためのシステムであって、
a)第一タンク用インレットI1及び第一タンク用アウトレットO1と、第一タンク用フィルターF1を有する第一廃水処理タンクT1;
b)タンクT1とTn-1との間を廃水が流れるようにタンクT1と動作可能に連結した別の廃水処理タンクTn-1;
c)タンクTn-1とTnとの間を廃水が流れるようにタンクTn-1と動作可能に連結した、Nthタンク用インレットIn及びNthタンク用アウトレットOnと、Nthタンク用フィルターFnを有するNth廃水処理タンクTn;
d)タンクT1に連結したTSS検出器TD1;
e)タンクTnに連結したTSS検出器TD3;
f)タンクT1に連結したOUR検出器OD1;
g)タンクTnに連結したOUR検出器OD3;
h)少なくとも１つの前記タンクに連結した空気供給装置;及び
i)空気供給インレットI1及びIn、アウトレットO1及びOn、TSS検出器TD1及びTDn、OUR検出器OD1及びODn、並びにフィルターF1及びFnに連結した制御装置であって、作動サイクルC1とC2の間でシフトし、ここで、サイクルC1において、TD1≦Y又はOD1≧Xである間、I1及びOnはオンであり、Inはオフであり、ここで、YはTSSの選択濃度であり、そしてXは選択されたOURであり、そしてC2において、TDn≦Y又はODn≧Xである間、I3及びO1はオンであり、I1はオフである、制御装置、
を含んで成るシステム。
【請求項１４】  フィルターF1がサイクルC1の洗浄モードにある、請求項１３に記載のシステム。
【請求項１５】  フィルターFnがサイクルC2の洗浄モードにある、請求項１３に記載のシステム。
【請求項１６】  フィルターF1及びFnが膜フィルターである、請求項１３に記載のシステム。
【請求項１７】  フィルターF1及びF3が中空糸膜フィルターである、請求項１３に記載のシステム。
【請求項１８】  前記制御装置に連結し、且つ１又は複数の前記タンクに空気を供給するよう適合された空気供給装置を更に含んで成る、請求項１３に記載のシステム。
【請求項１９】  廃水から栄養素を除去するためのシステムであって、
a)第一タンク用インレットI1及び第一タンク用アウトレットO1と、第一タンク用フィルターF1を有する第一廃水処理タンクT1;
b)Nthタンク用インレットIn及びNthタンク用アウトレットOnと、Nthタンク用フィルターFnを有するNth廃水処理タンクTn;
c)タンクT1とT2との間を廃水が流れるようにタンクT1と動作可能に連結し、そしてインレットI1及びInに連結した第二タンク用インレット2を有するタンク第二廃水処理タンクT2;
d)タンクT2とT3との間を廃水が流れるようにタンクT2に動作可能に連結した第三廃水処理タンクT3;
e)タンクT3とTn-1との間及びタンクTn-1とTnとの間を廃水が流れるようにタンクT3及びTnに動作可能に連結し、そしてインレットI1及びInに連結したN-1タンク用インレットIn-1を有するN-1廃水処理タンクTn-1;
f)タンクT1に連結したNH3検出器AD1;
g)タンクTnに連結したNH3検出器ADn;
h)タンクT1に連結したTSS検出器TD1;
i)タンクTnに連結したTSS検出器TDn;
j)タンクT2に連結したNO3検出器ND2;
k)タンクTn-1に連結したNO3検出器NDn-1;
l)少なくとも１つの前記タンクに連結した空気供給装置;
m)少なくとも１つの前記タンクに連結した混合装置;及び
n)空気供給混合装置、インレットI1、I2、In-1及びIn、アウトレットO1及びOn、NH3検出器AD1及びADn、並びにTSS検出器TD1及びTDn、NO3検出器ND2及びNDn-1、並びにフィルターF1及びFnと連結した制御装置であって、作動サイクルC1とC2の間でシフトし、ここで、サイクルC1において、1)AD1≧X又はTD1≦Yあるいは2)NDn-1+ADn≧Zの間は、I1及びOnはオンであり、Inはオフであり、そしてI2及びIn-1はj及びkにおいてオンであり、ここで、j及びkはI1の選択されたパーセンテージであり、ここで、X、Y、及びZはそれぞれ、NH3、TSS及びNO3+NH3の選択された濃度であり、そしてサイクルC2において、In及びO1はオンであり、I1はオフであり、そしてIn-1及びI2はl及びmにおいてオンであり、ここで、l及びmはInの選択されたパーセンテージであり、そして空気供給は、ND2≧AがサイクルC1にある場合にはT2+1で、そしてNDn-1≧AがサイクルC2にある場合にはTn-2で止まり、ここで、AはNO3の選択された濃度である、制御装置、
を含んで成るシステム。
【請求項２０】  フィルターF1がサイクルC1の洗浄モードにある、請求項１９に記載のシステム。
【請求項２１】  フィルターFnがサイクルC2の洗浄モードにある、請求項１９に記載のシステム。
【請求項２２】  フィルターF1及びFnが膜フィルターである、請求項１９に記載のシステム。
【請求項２３】  フィルターF1及びFnが中空糸膜フィルターである、請求項１９に記載のシステム。
【請求項２４】  廃水からリンを除去するためのシステムであって、
a)第一タンク用インレットI1及び第一タンク用アウトレットO1と、第一タンク用フィルターF1を有する第一廃水処理タンクT1;
b)Nthタンク用インレットIn及びNthタンク用アウトレットOnと、Nthタンク用フィルターFnを有するNth廃水処理タンクTn;
c)タンクT1とT2との間を廃水が流れるようにタンクT1と動作可能に連結したタンク第二廃水処理タンクT2;
d)タンクT2とT3との間を廃水が流れるようにタンクT2に動作可能に連結した第三廃水処理タンクT3;
e)タンクT3とTn-1との間及びタンクTn-1とTnとの間を廃水が流れるようにタンクT3及びTnに動作可能に連結したN-1廃水処理タンクTn-1;
f)タンクT1に連結したPO4検出器PD1;
g)タンクTnに連結したPO4検出器PDn;
h)タンクT1に連結したTSS検出器TD1;
i)タンクTnに連結したTSS検出器TDn;
j)少なくとも１つの前記タンクに連結した空気供給及び／又は混合装置;並びに
k)空気供給混合装置、インレットI1及びIn、アウトレットO1及びOn、PO4検出器PD1及びPDn、TSS検出器TD1及びTDn、並びにフィルターF1及びFnと連結した制御装置であって、作動サイクルC1及びC2の間をシフトし、ここで、サイクルC1において、空気はT1でオフであり、そしてTnでオンであり、1)PD1≦X又はTD1≦Yであるか、あるいは2)PDn≧Z（X, Y, 及びZは、それぞれPO4, TSS, 及びPO4の選択された濃度である）である間、I1及びOnはオンであり、そしてIn及びO1はオフであり、そしてサイクルC2において、空気はTnでオフであり、そしてT1でオンであり、1)PDn≦X又はTDn≦Yであるか、あるいは2)PD1≧Z（ここで、X, Y, 及びZは、それぞれPO4, TSS, 及びPO4の選択された濃度である）である間、In及びO1はオンであり、そしてI1及びOnはオフである、制御装置、
を含んで成るシステム。
【請求項２５】  フィルターF1がサイクルC1の洗浄モードにある、請求項２４に記載のシステム。
【請求項２６】  フィルターFnがサイクルC2の洗浄モードにある、請求項２４に記載のシステム。
【請求項２７】  フィルターF1及びFnが膜フィルターである、請求項２４に記載のシステム。
【請求項２８】  フィルターF1及びFnが中空糸膜フィルターである、請求項２４に記載のシステム。
【請求項２９】  前記制御装置に連結し、且つ１又は複数の前記タンクに空気を供給するよう適合された空気供給装置を更に含んで成る、請求項２４に記載のシステム。
【手続補正２】
【補正対象書類名】明細書
【補正対象項目名】００１４
【補正方法】変更
【補正の内容】
【００１４】
制御装置は、空気供給混合装置、インレットI1、I2、In-1及びIn、アウトレットO1及びOn、NH3検出器AD1及びADn、並びにTSS検出器TD1及びTDn、NO3検出器ND2及びNDn-1、並びにフィルターF1及びFnと連結している。制御装置は、作動サイクルC1とC2との間をシフトし、ここで、サイクルC1において、I1及びOnはオンであり、Inはオフであり、そしてF1は洗浄モードにあり、そしてI2及びIn-1はj及びkにおいてオンであり［ここで、j及びkは、1)AD1≧X又はTD1≦Yあるいは2)NDn-1+ADn≧Zの間は、I1の選択されたパーセンテージであり（ここで、X、Y、及びZはそれぞれ、NH3、TSS及びNO3+NH3の選択された濃度である）］、そしてサイクルC2において、In及びO1はオンであり、I1はオフであり、そしてFnは洗浄モードにあり、そしてIn-1及びI2はl及びmにおいてオンであり、ここで、l及びmはInの選択されたパーセンテージであり、そして空気供給は、ND2≧AがサイクルC1にある場合にはT2+1で、そしてNDn-1≧AがサイクルC2にある場合にはTn-2で止まり、ここで、AはNO3の選択された濃度である。